(57)【要約】【課題】硫黄分が低く、品質が良好で安定した石油留分、特に軽油留分を、簡素化された精製設備を用いて、経済的に有利に製造できる、炭化水素油の精製方法を提供する。【解決手段】１０容量％留出温度が３５〜８０℃、９５容量％留出温度が２３０〜３５０℃且つ９７容量％留出温度が２５０〜４２０℃の蒸留性状を有し、ナフサ留分に含まれる硫黄分が灯油留分および軽油留分に含まれる硫黄分より多い炭化水素油から、粗蒸留装置１１にて少なくとも軽質ガスおよびＬＰガスを分離し、該軽質ガスおよびＬＰガスを分離した炭化水素油を一括して水素化精製処理し、該水素化精製処理された精製油を常圧蒸留装置１５にて常圧蒸留して、精製軽質ナフサ、精製重質ナフサ、精製灯油、精製軽油及び精製重質軽油に分離する。【選択図】図２
2008280451.tif 000002
【特許請求の範囲】
【請求項１】
１０容量％留出温度が３５〜８０℃、９５容量％留出温度が２３０〜３５０℃且つ９７容量％留出温度が２５０〜４２０℃の蒸留性状を有し、ナフサ留分に含まれる硫黄分が灯油留分および軽油留分に含まれる硫黄分より多い炭化水素油から、粗蒸留装置にて少なくとも軽質ガスおよびＬＰガスを分離し、
該軽質ガスおよびＬＰガスを分離した炭化水素油を一括して水素化精製処理し、
該水素化精製処理された精製油を常圧蒸留装置にて常圧蒸留して、精製軽質ナフサ、精製重質ナフサ、精製灯油、精製軽油及び精製重質軽油に分離する
ことを特徴とする炭化水素油の精製方法。
【請求項２】
前記常圧蒸留により精製全ナフサを分離した後、該精製全ナフサ留分をナフサ分離装置により精製軽質ナフサおよび精製重質ナフサに分離することを特徴とする請求項１に記載の炭化水素油の精製方法。
【請求項３】
前記精製軽質ナフサ留分および精製重質ナフサ留分について、さらに水銀の吸着除去を行うことを特徴とする請求項１または２に記載の炭化水素油の精製方法。
【請求項４】
前記常圧蒸留装置により分離された精製軽油が、硫黄分１０ｗｔｐｐｍ以下の軽油であることを特徴とする請求項１〜３のいずれかに記載の炭化水素油の精製方法。
【請求項５】
前記炭化水素油が天然ガスコンデンセートであることを特徴とする請求項１〜４のいずれかに記載の炭化水素油の精製方法。
【発明の詳細な説明】
【技術分野】
【０００１】
本発明は、炭化水素油の精製方法、特には、炭化水素油を一括して水素化精製処理し、次いで精製軽質ナフサ、精製重質ナフサ、精製灯油、精製軽油及び精製重質軽油の各留分に分離することにより、硫黄分が低く、品質が安定した軽油を製造することが可能な炭化水素油の精製方法に関するものである。
【背景技術】
【０００２】
従来の原油の精製処理においては、図１に示すように、一般に原油を常圧蒸留装置１により常圧蒸留して、軽質ガス、ＬＰガス、ナフサ（軽質ナフサ、重質ナフサ）、灯油、軽油及び残油のそれぞれの留分に分離している。そして、常圧蒸留後、軽質ガスは、アミン精製装置２で酸ガスを分離して燃料ガスとなり、一方、分離された酸ガスは、硫黄回収装置３に送られ、硫黄が回収される。また、分離されたＬＰガスは、ＬＰガス処理装置４で不純物を除去した後、製品ＬＰガスとされる。
【０００３】
また、軽質ナフサ留分は、軽質ナフサ処理装置５にて簡単な処理を施されて、ガソリンや石化原料となり、重質ナフサ留分は、水素化精製装置６で、触媒存在下で水素化精製処理された後、接触改質装置７で、異性化や芳香族化されてガソリンや芳香族製品となる。なお、常圧蒸留装置１からナフサ留分を一括で留出させた後に、全ナフサ留分をナフサ用の水素化精製装置８で、触媒存在下で水素化精製処理した後、軽質ナフサ及び重質ナフサに分離することもある。
【０００４】
更に、灯油留分は、灯油精製装置９で精製されて灯油となり、軽油留分は、軽油用の水素化精製装置１０で触媒存在下で水素化精製処理されて軽油となる。また、常圧蒸留装置１底部に残った残油は、常圧蒸留装置１から取り出され、重油の調合材料とされたり減圧蒸留装置で減圧蒸留され、軽質油の製造原料となる減圧留出油と分離される。このように、従来の原油の精製処理においては、分離された各留分のそれぞれに対して水素化精製（脱硫）などの精製処理が行われている。
【０００５】
しかしながら、この方法では設備構成が複雑になり、設備コストが高くなる、エネルギー効率が悪い、それぞれの装置について運転管理やメンテナンスが必要となる、という問題があった。このため、特に原油処理量が小さい場合に、装置構成がより簡素化され、コンパクトで低コストの処理方法が望まれていた。
【０００６】
上記の観点から、原油、或いは原油からナフサ留分を除いた留分又は原油から残渣油を除いた留分などの留分に対して一括して水素化処理を行い、その後に常圧蒸留によりナフサ留分、灯軽油留分などの留分を分留する方法が提案されている。
【０００７】
例えば、特開平３−２９４３９０号公報（特許文献１）には、原油中のナフサ留分を蒸留分離した後、該ナフサ留分を除いた残りの留分を脱硫触媒と接触させて脱硫し、次いで蒸留して各製品に分離する原油の精製方法が記載されている。
【０００８】
また、特開平７−８２５７３号公報（特許文献２）には、原油を常圧蒸留して残油と留出油に分離し、留出油を一括して同一の水素化処理装置で水素化処理する石油の処理方法が記載されている。
【０００９】
更に、特開平７−３００５９２号公報（特許文献３）には、原油を軽油及び軽油より低沸点の留分からなる留出油と残油とに分離した後、留出油を一括して水素化処理して得られた精製油を精留塔で所望の留分に分離し、精留塔で得られた軽油を水素化処理触媒と接触させ脱色処理する石油の処理方法が記載されている。
【００１０】
更にまた、特開２００５−１８７８２３号公報（特許文献４）には、品質が良好でかつ安定した灯油・軽油を増産することができ、設備の簡素化が図れる方法として、原油又はナフサ留分を除いた原油を、特定の担体に周期律表第６、８、９又は１０族に属する金属の少なくとも一種の金属を担持した触媒を用いて、一括して水素化処理する原油の水素化処理方法が記載されている。
【００１１】
一方、近年、灯油や軽油のさらなる低硫黄化が求められている。これに対して、例えば、脱硫率を向上させてより低硫黄分の軽油を得るためには、脱硫反応温度を上昇させるのが効果的である。しかしながら、脱硫反応温度を上昇させた場合には、好ましくない副反応を起こし易くなり、品質の安定した軽油留分を得ることが難しい。そのため、装置がコンパクトで、低コストの処理が可能で、更に、硫黄分が低く、品質の安定している灯油・軽油を得ることが可能な方法が望まれている。
【００１２】
【特許文献１】特開平３−２９４３９０号公報
【特許文献２】特開平７−８２５７３号公報
【特許文献３】特開平７−３００５９２号公報
【特許文献４】特開平７−３０５０７７号公報
【発明の開示】
【発明が解決しようとする課題】
【００１３】
このような状況下、本発明の目的は、硫黄分が低く、品質が良好で安定した石油留分、特に軽油留分を、簡素化された精製設備を用いて、経済的に有利に製造できる、炭化水素油の精製方法を提供することにある。
【課題を解決するための手段】
【００１４】
本発明者らは、上記目的を達成するために鋭意検討した結果、留分ごとの硫黄分が、灯油及び軽油留分に対してナフサ留分に多く含まれる炭化水素油から、粗蒸留装置により軽質ガス及びＬＰガス留分を分離し、該軽質ガス及びＬＰガス留分を分離した残りの留出油を一括して水素化精製処理（脱硫）し、該水素化精製処理された留出油を常圧蒸留装置によって所望の留分に精留することにより、コンパクトな装置で簡素化された精製方法で、硫黄分が低く品質が安定した留分を得られることを見出し、本発明を完成させるに至った。
【００１５】
即ち、本発明の炭化水素油の精製方法は、
１０容量％留出温度が３５〜８０℃、９５容量％留出温度が２３０〜３５０℃且つ９７容量％留出温度が２５０〜４２０℃の蒸留性状を有し、ナフサ留分に含まれる硫黄分が灯油留分および軽油留分に含まれる硫黄分より多い炭化水素油から、粗蒸留装置にて少なくとも軽質ガスおよびＬＰガスを分離し、
該軽質ガスおよびＬＰガスを分離した炭化水素油を一括して水素化精製処理し、
該水素化精製処理された精製油を常圧蒸留装置にて常圧蒸留して、精製軽質ナフサ、精製重質ナフサ、精製灯油、精製軽油及び精製重質軽油に分離する
ことを特徴とする。
【００１６】
本発明の炭化水素油の精製方法の好適例においては、前記常圧蒸留により精製全ナフサを分離した後、該精製全ナフサ留分をナフサ分離装置により精製軽質ナフサおよび精製重質ナフサに分離する。
【００１７】
本発明の炭化水素油の精製方法の他の好適例においては、前記精製軽質ナフサおよび精製重質ナフサ留分について、さらに水銀の吸着除去を行う。
【００１８】
本発明の炭化水素油の精製方法の他の好適例においては、前記常圧蒸留装置により分離された精製軽油が、硫黄分１０ｗｔｐｐｍ以下の軽油である。
【００１９】
本発明の炭化水素油の精製方法においては、前記炭化水素油が天然ガスコンデンセートであることが好ましい。
【発明の効果】
【００２０】
本発明によれば、特定の性状をもつ炭化水素油を用いて、一括水素化精製処理（脱硫）した後に常圧蒸留装置により所望の留分に分離するので、コンパクトな装置で簡素化された精製方法により、硫黄分が低く品質が安定した留分、特に軽油留分を得ることができる。
【発明を実施するための最良の形態】
【００２１】
図２に示す本発明の炭化水素油の精製方法の一例を説明するための構成図を参照しながら、以下に、本発明を詳細に説明する。
【００２２】
［原料炭化水素油］
本発明の炭化水素油の精製方法においては、原料炭化水素油として、１０容量％留出温度が３５〜８０℃、好ましくは３６〜７２℃、９５容量％留出温度が２３０〜３５０℃、好ましくは２００〜３５０℃、９７容量％留出温度が２５０〜４２０℃、好ましくは２５０〜４００℃の蒸留性状を有し、常圧蒸留して得られるナフサ留分に含まれる硫黄分が灯油留分および軽油留分に含まれる硫黄分より多い炭化水素油を用いる。
なお、本発明において、ナフサ留分に含まれる硫黄分が灯油留分および軽油留分に含まれる硫黄分より多いとは、ナフサ留分として蒸留装置で炭素数が５の常温常圧で液体の炭化水素から沸点１５０℃にて分留を行い、灯油留分として蒸留装置で沸点１５０℃から２５０℃にて分留を行い、軽油留分として蒸留装置で沸点２５０℃から３６０℃にて分留を行った各留分に含まれる硫黄分について比較することを意味する。
ここで蒸留装置とは、液体混合物を沸点の差を利用して分離する装置で、常温、常圧で液体または固体の混合物でも温度と圧力の調節により液体混合物として蒸留により分離できる装置をいう。
一般的には、ナフサ留分とは沸点範囲３０℃から２００℃程度のものであり、灯油留分とは沸点範囲１４５℃から３００℃程度のものであり、軽油留分とは沸点範囲１７０℃から３７０℃程度のものであり、本発明において、各留分の使用用途等により沸点範囲を上記の沸点範囲を逸脱しない範囲で適宜調整することができる。
【００２３】
本発明においては、原料炭化水素油中のナフサ留分に含まれる硫黄分は、灯油留分および軽油留分に含まれる硫黄分より多く、好ましくは、灯油留分および軽油留分に含まれる硫黄分の３〜８００倍である。なお、原料炭化水素油中のナフサ留分に含まれる硫黄分は２００〜８０００ｗｔｐｐｍの範囲が好ましく、灯油留分および軽油留分に含まれる硫黄分は１０〜２５００ｗｔｐｐｍの範囲が好ましい。
本発明における一括水素化精製処理（脱硫）は、原料の炭化水素油から少なくとも軽質ガス及びＬＰガスを除いた留分を一括して水素化精製処理することから、各留分に含有される硫黄分の脱硫反応性の違いにより、より軽質留分の脱硫反応性が高くなる。そのため、ナフサ留分よりも灯油留分および軽油留分に硫黄分が少ない炭化水素油を用いた場合、灯油留分や軽油留分の脱硫率に着目して、反応温度を設定することができる。例えば、サルファーフリー軽油（硫黄分１０ｗｔｐｐｍ以下）の精製に反応条件を設定した場合には、軽油留分より軽質な留分はより硫黄分が少なくなり、軽質ナフサ、重質ナフサのように、品質上軽油より硫黄分を少なくする必要が有るものについても、必要とする品質を満足する製品が得られる。
【００２４】
上記原料炭化水素油として、具体的には、天然ガスコンデンセートを挙げることができる。天然ガスコンデンセートとは、天然ガス田より天然ガスの採取、精製を行う過程で得られる常温、常圧で液体の炭化水素のことであり、油田から得られる一般の原油に比べて極めて軽質でナフサに近い性状である。天然ガスコンデンセートは、石油類の比重として欧米諸国で広く使われているＡＰＩ比重で５０以上の軽質で、かつ硫黄分が少ないことから、ＡＰＩ比重２０〜５０で硫黄分０〜３％程度である原油よりもガソリンなどの軽質の石油製品を多く精製できる原料である。天然ガスコンデンセートとしては、例えば、中東産のサウスパースコンデンセート、ノースフィールドコンデンセートを例示することができるが、これらに限定されるものではない。
【００２５】
［粗蒸留装置での軽質ガス及びＬＰガスの分離］
本発明の炭化水素油の精製方法では、上記炭化水素油を粗蒸留装置１１に送り、常圧蒸留して、軽質ガス（オフガス）及びＬＰガスと、それよりも高沸点の留分（軽質ナフサ、重質ナフサ、灯油、軽油、重質軽油）からなる留出油とに分離する。なお、本発明の炭化水素油の精製方法では、粗蒸留装置１１における常圧蒸留の前に、原料炭化水素油に対し脱水、脱塩、脱酸素などの前処理を行ってもよい。ここで、軽質ガスとは、石油精製プラントにおいて、各精製装置から発生する低沸点炭化水素、水素、硫化水素など製油所副生ガスから炭素数が３以上の炭化水素を除去した排ガス、すなわち液化し難い水素、硫化水素、炭素数が１または２の炭化水素（メタン、エタン等）を主体とする混合ガスであり、ＬＰガスとは、ＬＰＧまたは、液化石油ガスとも呼ばれ、炭素数が３および４の炭化水素、すなわちプロパン、プロピレン、ブタン、ブチレン、またはこれらを主成分とする石油製品である。
【００２６】
［水素化精製処理］
次に、本発明の炭化水素油の精製方法では、粗蒸留装置１１で分離された留出油（少なくとも軽質ガス及びＬＰガスが分離除去された炭化水素油）を一括して水素化精製装置１２に送り、例えば、触媒の存在下、水素（Ｈ2）と接触させて、脱硫などの水素化精製処理を行う。ここで、上記水素化精製装置１２としては、気液下向並流型反応器を用いることが好ましい。
【００２７】
なお、本発明の炭化水素油の精製方法では、粗蒸留装置１１でＬＰガスと共に留出したナフサ留分を粗ナフサ分離装置１３で分離後、水素化精製装置１２に送り、上記留出油と共に水素化精製処理を行ってもよい。
【００２８】
水素化精製処理に用いる水素源としては、水素含有ガスである限り特に制限されるものではないが、純度７５％以上のものが好ましく、８０％以上のものが更に好ましい。該水素源として、具体的には、後述する精製重質ナフサの接触改質処理を行う接触改質装置１４から副生する水素等を使用することができる。
【００２９】
水素化精製処理用の触媒としては、水素化精製処理に使用できるものであればよく、例えば、Ｃｏ−Ｍｏ系、Ｎｉ−Ｍｏ系、Ｎｉ−Ｃｏ−Ｍｏ系の触媒などを用いることができる。
【００３０】
また、水素化精製処理の条件としては、圧力が２〜８ＭＰａ、特には５〜８ＭＰａの範囲であることが好ましく、温度が２８０〜３８０℃、特には３１０〜３６０℃の範囲であることが好ましく、Ｈ2／油比が５０〜２００Ｎｍ3／ｋＬ、特には１００〜２００Ｎｍ3／ｋＬの範囲であることが好ましく、ＬＨＳＶが０.１〜５ｈ-1、特には１〜３ｈ-1の範囲であることが好ましい。
また、図示しないが、必要に応じて、水素化精製処理された精製油の一部を再度水素化精製装置１２に返送して水素化処理しても良い。
【００３１】
［常圧蒸留装置での常圧蒸留］
次に、本発明の炭化水素油の精製方法では、水素化精製装置１２で水素化精製処理された精製油を常圧蒸留装置１５に送り、常圧蒸留して、精製ＬＰガス、精製軽質ナフサ、精製重質ナフサ、精製灯油、精製軽油及び精製重質軽油の各留分に分離する。ここで、精製軽質ナフサは、沸点が３０℃以上１００℃未満であり、精製重質ナフサは、沸点が７５℃以上２００℃未満であり、精製灯油は、沸点が１４５℃以上３００℃未満であり、精製軽油は、沸点が１７０℃以上３７０℃未満であり、精製重質軽油は、沸点が３４５℃以上である。
【００３２】
この工程で、常圧蒸留装置１５からナフサ留分を一括で留出させた後に、全ナフサ留分をナフサ分離装置１６に送り、軽質ナフサ及び重質ナフサに分離してもよい。
【００３３】
また、図示しないが、必要に応じて、分離した精製軽油及び精製重質軽油を再度水素化精製装置１２に返送して水素化精製処理してもよい。
【００３４】
上述したような水素化精製並びに分留処理によって、図２に示すように、軽質ガス、ＬＰガス、精製軽質ナフサ、精製重質ナフサ、精製灯油、精製軽油、精製重質軽油の各留分が得られる。
【００３５】
軽質ガスは、アミン精製装置１７で酸ガスを分離し、燃料ガスとする一方、酸ガスを硫黄回収装置１８に送り硫黄を回収してもよい。また、上述の粗ナフサ分離装置１３にて分離されたＬＰガスは、ＬＰガス処理装置１９で不純物を除去した後、ブタン及びプロパンに分離後、それぞれ製品ガスとして使用することができる。
【００３６】
精製軽質ナフサは、そのままガソリンに調合することができる他、エチレン分解装置原料（石化原料）としたり、必要に応じ改質処理やスイートニング処理を行っても良い。精製重質ナフサは、接触改質装置１４に送られ、接触改質装置１４で異性化や芳香族化した後、ガソリンに調合したり、芳香族製品とすることができる。この接触改質装置１４で副生する水素を、上述のように水素化精製装置１２に送り水素化精製用水素源として利用でき、また副生するＬＰガス分をＬＰガス処理装置１９から得られる精製ＬＰガスに混合することもできる。
【００３７】
更に、精製灯油は、そのまま製品灯油とすることができ、また、精製軽油も、そのまま製品軽油とすることができる。なお、常圧蒸留装置１５により分離された精製軽油は、硫黄分１０ｗｔｐｐｍ以下の軽油（サルファーフリー軽油）であることが好ましい。また、精製重質軽油は、接触分解装置（図示せず）に送り、そこで接触分解によりガソリンに転換することができる。
【００３８】
上述した本発明の炭化水素油の精製方法は、原油を粗蒸留装置で常圧蒸留して軽質ガス及びＬＰガスと留出油とに分離し、留出油を一括して同一の水素化精製装置１２で水素化精製処理することにより、原油を蒸留により細かく分留し、その後各留分毎に水素化精製処理する場合と比べ、製油所の装置構成が簡略化され、建設コストや、設置スペースを削減できる。また、原油処理量が少ない場合であっても装置構成のよりコンパクト化が可能となる。
【００３９】
［重金属の吸着除去］
上記原料炭化水素油、特に天然ガスコンデンセートは、一般的な原油に比べて水銀等の重金属分を多く含有することがある。そのため、水素化精製処理した精製油の分留後の留分である精製軽質ナフサ、精製重質ナフサ、場合によっては精製灯油留分について、吸着剤による重金属の吸着除去装置を設置して、重金属、特には水銀の吸着除去を行い、各精製留分の品質を更に高めることができる。なお、吸着除去装置（図示せず）は、常圧蒸留装置１５の直後に設置することが好ましい。また、重金属の吸着除去には、活性炭などの吸着剤を使用することができる。
【実施例】
【００４０】
以下に、実施例を挙げて本発明を更に詳しく説明するが、本発明は下記の実施例に何ら限定されるものではない。
【００４１】
なお、実施例及び比較例において、蒸留性状、密度、硫黄分、窒素分、動粘度、水銀濃度は、以下の方法に従って行った。
・蒸留性状：ＪＩＳ  Ｋ２２５４およびＪＩＳ  Ｋ２６０１
・密度：ＪＩＳ  Ｋ２２４９
・硫黄分：ＪＩＳ  Ｋ２５４１
・窒素分：ＪＩＳ  Ｋ２６０９
・動粘度：ＪＩＳ  Ｋ２２８３
・水銀：自動水銀分析装置（日本インスツルメンツ社製、ＳＰ−３Ｄ）を用いて測定した。
【００４２】
（原料油の性状）
一般的な天然ガスコンデンセートとして、イランのサウスパースガス田から得られたコンデンセート（サウスパースコンデンセート）の性状を表１に、各留分の収率および性状を表２に示す。なお、他の例も含めて、収率の合計が１００％にならないのは、蒸留ロスのためである。
【００４３】
【表１】
2008280451.tif 000003
【００４４】
【表２】
2008280451.tif 000004
【００４５】
また、一般的な原油として、中東産のマーバン原油（ＭＵ）、クウェート原油（ＫＵ）の性状を表３に、各留分の収率および硫黄分を表４に示す。
【００４６】
【表３】
2008280451.tif 000005
【００４７】
【表４】
2008280451.tif 000006
【００４８】
表１〜４から、サウスパースコンデンセートは、ナフサ留分に含まれる硫黄分が灯油及び軽油留分に含まれる硫黄分より多いのに対し、一般的な原油は、ナフサ留分に含まれる硫黄分が灯油及び軽油留分に含まれる硫黄分より少ないことが分かる。
【００４９】
（比較例１）
原料油として、ＡＰＩ比重が３３.５の混合原油（マーバン原油（ＭＵ）：クウェート原油（ＫＵ）：アラビアンライト：アラビアンヘビー：その他＝２０：１４：１２：１２：４２（ｖｏｌ％））を用いた。使用した混合原油の性状を表５に、各留分の収率を表６に示す。
【００５０】
【表５】
2008280451.tif 000007
【００５１】
【表６】
2008280451.tif 000008
【００５２】
上記混合原油を用いて、常圧蒸留装置によって各留分に蒸留分離した後、それぞれの留分ごとに水素化精製装置に供給して水素化精製した。各留分の水素化処理の条件と得られた各精製留分の性状を表７にまとめて示す。
【００５３】
【表７】
2008280451.tif 000009
【００５４】
表７から、低硫黄分の軽油を得るためには、脱硫反応温度を上昇させざるを得ないことが分かる。なお、この場合、好ましくない副反応が起こり易く、品質の安定した軽油留分を得ることが難しいという問題がある。
【００５５】
（実施例１）
上記のサウスパースコンデンセートから常圧蒸留により軽質ガス及びＬＰガスを除いた軽質ナフサからの連続留分（炭素数がＣ５の常温常圧で液体の炭化水素からの全留分）を原料油とした。内径１０ｍｍ×長さ３００ｍｍの反応器に、市販のＣｏ−Ｍｏ系触媒を１０ｃｃ充填した下向並流式の反応器を用い、水素純度：１００％、圧力：５ＭＰａ、温度：３１０℃、Ｈ2／油比：２００Ｎｍ3／ｋＬ、ＬＨＳＶ：３.０ｈ-1の反応条件で、軽質ナフサからの連続留分を一括して水素化精製処理した。
【００５６】
水素化精製処理後の精製油を分留器に移して常圧蒸留し、軽質ナフサ、重質ナフサ、灯油及び軽油の各留分に分離し、これら各留分の残留硫黄濃度を測定した。その結果、各留分の残留硫黄濃度は、軽質ナフサ：０.１ｗｔｐｐｍ、重質ナフサ：０.１ｗｔｐｐｍ、灯油：４ｗｔｐｐｍ、軽油：９ｗｔｐｐｍであり、各留分を個別に水素化精製処理した比較例１のものと遜色なかった。
【００５７】
（実施例２）
上記のサウスパースコンデンセートから常圧蒸留により軽質ガス及びＬＰガスを除いた軽質ナフサからの連続留分（炭素数がＣ５の常温常圧で液体の炭化水素からの全留分）を原料油とした。内径１０ｍｍ×長さ５００ｍｍの反応器に、市販のＮｉ−Ｃｏ−Ｍｏ系触媒を１５ｃｃ充填した下向並流式反応器を用い、水素純度：１００％、圧力：５ＭＰａ、温度：３２０℃、Ｈ2／油比：１６０Ｎｍ3／ｋＬ、ＬＨＳＶ：２.０ｈ-1の反応条件で、軽質ナフサからの連続留分を一括して水素化精製処理した。
【００５８】
水素化精製処理後の精製油を分留器に移して常圧蒸留し、軽質ナフサ、重質ナフサ、灯油及び軽油の各留分に分離し、これら各留分の残留硫黄濃度を測定した。その結果、各留分の残留硫黄濃度は、軽質ナフサ：０.１ｗｔｐｐｍ以下、重質ナフサ：０.１ｗｔｐｐｍ以下、灯油：３ｗｔｐｐｍ、軽油：８ｗｔｐｐｍであり、各留分を個別に水素化精製処理した比較例１のものと遜色なかった。
【００５９】
これらの結果から、本発明によれば、石油精製の装置構成を大幅に簡略化し、従来と同程度の水素化処理効果が得られることが分かる。
【図面の簡単な説明】
【００６０】
【図１】従来の炭化水素油の精製方法の一例を説明するための構成図である。
【図２】本発明の炭化水素油の精製方法の一例を説明するための構成図である。
【符号の説明】
【００６１】
１，１５  常圧蒸留装置
２，１７  アミン精製装置
３，１８  硫黄回収装置
４，１９  ＬＰガス処理装置
５  軽質ナフサ処理装置
６，８，１０，１２  水素化精製装置
７，１４  接触改質装置
９  灯油精製装置
１１  粗蒸留装置
１３  粗ナフサ分離装置
１６  ナフサ分離装置
【図１】
2008280451.tif 000010
【図２】
2008280451.tif 000011